(57)【要約】【課題】点灯回路を収納する樹脂ケースの収納スペースを確保するとともに樹脂ケースの固定を簡易な構成で容易にでき製作コストの低減が図られるＬＥＤ照明器具を提供することを目的とする。【解決手段】上部にＬＥＤ発光モジュール２を取り付けた熱伝導性の装置本体３と、装置本体の内部に嵌挿される絶縁性の樹脂ケース４と、樹脂ケースの内部に収納されるＬＥＤ発光モジュールの点灯回路５と、樹脂ケースの下端部に装着される口金６とを備えている。装置本体と樹脂ケースは、上端側から下端側に縮径した略円錐台状に形成されており、上端部が互いの回動を規制するための止着手段８で止着されている。【選択図】図１
2015207480.tif 000002
【特許請求の範囲】
【請求項１】
上部にＬＥＤ発光モジュールを取り付けた熱伝導性の装置本体と、前記装置本体の内部に嵌挿される絶縁性の樹脂ケースと、前記樹脂ケースの内部に収納される前記ＬＥＤ発光モジュールの点灯回路と、前記樹脂ケースの下端部に装着される口金と、を備え、
前記装置本体と前記樹脂ケースは、上端側から下端側に縮径した略円錐台状に形成されており、
前記装置本体と前記樹脂ケースの上端部が、互いの回動を規制するための止着手段で止着されていることを特徴とするＬＥＤ照明器具。
【請求項２】
前記本体装置の上端側に第１凹部を形成し、前記樹脂ケースの上端側に前記第１凹部と対応して第２凹部を形成するとともに、これら第１凹部と第２凹部により形成される空間部に前記止着手段を設けたことを特徴とする請求項１に記載のＬＥＤ照明器具。
【請求項３】
前記止着手段は、螺子であることを特徴とする請求項１又は請求項２に記載のＬＥＤ照明器具。
【請求項４】
前記止着手段は、接着剤であることを特徴とする請求項１又は請求項２に記載のＬＥＤ照明器具。
【発明の詳細な説明】
【技術分野】
【０００１】
本発明は、光源として半導体発光素子を用いた電球形ランプのＬＥＤ照明器具に関する。 
【背景技術】
【０００２】
従来、半導体発光素子として発光ダイオードを用いた電球形ランプは、金属製のホルダの一端側にＬＥＤチップを用いた発光部およびこの発光部を覆うグローブがそれぞれ取り付けられ、ホルダの他端側に絶縁部材を介して口金が取り付けられているとともに、絶縁部材の内側に点灯回路が収納されている（例えば、特許文献１参照。）。 
【０００３】
この従来技術の電球形ランプにおいて、絶縁部材は、合成樹脂例えばポリブチレンテレフタレート（ＰＢＴ）樹脂からなり、円筒状部を有するカップ状に形成されて、点灯回路を収納する樹脂ケースとなっている。そして、絶縁部材は、その外周面をホルダの内側に形成された凹部の内周面に接触させた状態で設けられている。 
【先行技術文献】
【特許文献】
【０００４】
【特許文献１】特開２００９−３７９９５号公報
【発明の概要】
【発明が解決しようとする課題】
【０００５】
ミニクリプトン電球などのＥ１７形の口金を有する電球形ランプは、ホルダ内のスペースが小さく、口金部分にも点灯回路部品を収納する必要がある。しかし、当該口金部分には、部品を収納しにくく、収納される部品が限定されるという欠点を有する。そして、ホルダ内に収納スペースを確保するためにホルダが大型化することにより、電球形ランプを小型化しにくく、電球形ランプがコストアップするという欠点を有する。 
【０００６】
本発明は、点灯回路を収納する樹脂ケースの収納スペースを確保するとともに樹脂ケースの固定を簡易な構成で容易にでき製作コストの低減が図られる電球形ランプのＬＥＤ照明器具を提供することを目的とする。
【課題を解決するための手段】
【０００７】
上記課題を解決するため、請求項１の発明にあっては、上部にＬＥＤ発光モジュールを取り付けた熱伝導性の装置本体と、前記装置本体の内部に嵌挿される絶縁性の樹脂ケースと、前記樹脂ケースの内部に収納される前記ＬＥＤ発光モジュールの点灯回路と、前記樹脂ケースの下端部に装着される口金とを備え、前記装置本体と前記樹脂ケースは、上端側から下端側に縮径した略円錐台状に形成されており、前記装置本体と前記樹脂ケースの上端部が、互いの回動を規制するための止着手段で止着されていることを特徴とする。
【０００８】
上記課題を解決するため、請求項２の発明にあっては、前記本体装置の上端側に第１凹部を形成し、前記樹脂ケースの上端側に前記第１凹部と対応して第２凹部を形成するとともに、これら第１凹部と第２凹部により形成される空間部に前記止着手段を設けたことを特徴とする。
【０００９】
上記課題を解決するため、請求項３の発明にあっては、前記止着手段は、螺子であることを特徴とする。
【００１０】
上記課題を解決するため、請求項４の発明にあっては、前記止着手段は、接着剤であることを特徴とする。
【発明の効果】
【００１１】
本発明によれば、第１凹部と第２凹部とが向かい合って形成される少なくとも一つの空間に、止着手段を設けるので、前記装置本体と前記樹脂ケースとの相互の回動が規制することができる。 
【００１２】
また、止着手段を設ける工程は非常に簡便であるため製作コストの低減を図ることができるため、点灯回路を収納する前記樹脂ケースを収納するスペースを確保し、しかも電球形ランプ１を安価に形成することができる。
【図面の簡単な説明】
【００１３】
【図１】本発明の実施例を示す電球形ランプの概略縦断面図である。
【図２】同じく、電球形ランプの概略側面図である。
【図３】同じく、電球形ランプの装置本体のグローブと発光モジュールを取り外した状態の概略平面図である。
【図４】同じく、電球形ランプの概略分解斜視図である。
【発明を実施するための形態】
【００１４】
以下、本発明の一実施の形態について、図面を参照して説明する。 
【００１５】
図１ないし図４は、本発明の実施例を示し、図１は電球形ランプの概略縦断面図、図２は電球形ランプの概略側面図、図３は電球形ランプの装置本体のグローブと発光モジュールを取り外した状態の概略平面図、図４は電球形ランプの概略分解斜視図である。 なお、図１は図３に記載された切断線Ａ−Ａによる断面図である。
【００１６】
図１において、電球形ランプ１は、発光モジュール２、装置本体３、樹脂ケース４、点灯回路５および口金６を有して構成されている。
【００１７】
発光モジュール２は、基板７およびこの基板７に設けられた複数個のＬＥＤ８（半導体発光素子）を有して形成されている。基板７は、例えばアルミニウム（Ａｌ）の金属板からなり、外形が例えば円形状に形成され、一方の面７ａ側に複数個のＬＥＤ８が実装されている。
【００１８】
基板７は、その他方の面７ｂに放熱板１１を取り付けている。放熱板１１は、高熱伝導性を有する金属板例えばアルミニウム（Ａｌ）板からなり、例えば円形に形成され、高熱伝導性の接着材により基板７に固着されている。放熱板１１は、ＬＥＤ８の点灯（発光）に伴って発生した熱が基板７から伝熱され、当該熱を装置本体３に伝熱させる。 
【００１９】
装置本体３は、高熱伝導性を有する例えばアルミニウム（Ａｌ）で造られた略円錐台状の中空体であり、下端側１２ｂから上端側１２ａに向かって拡径する胴体部１２と、この胴体部１２の外面１２ｃに上端側１２ａから下端側１２ｂの方向に沿った複数の放熱フィン１３とが、ダイカスト成形により一体成形されている。胴体部１２の上端側１２ａの頂面部には、放熱板１１が面接触して取り付けられる発光モジュール２の取付け部１４が形成されているとともに、グローブ１５を取り付ける環状の周壁部としてのグローブ取付部１６が取付け部１４よりも外方に突出するように形成されている。なお、胴体部１２の上端側１２ａおよび下端側１２ｂは、装置本体３の上端側３ａおよび下端側３ｂとなっている。 
【００２０】
そして、胴体部１２の中央部には、取付け部１４から下端側１２ｂの外面１２ｃに貫通する貫通孔１７（空洞部）が形成されている。この貫通孔１７は、樹脂ケース４の収納部となるものであり、取付け部１４から下端側１２ｂに向かうにつれ次第に縮径する先細りの略円錐台状に形成されている。そして、取付け部１４の貫通孔１７の上縁部には、第１凹部１８が形成されている。第１凹部１８は、所定の深さを有する例えば半円筒形に形成されており、貫通孔１７の周回に少なくとも１個設けられている。例えば、図３に示すように、貫通孔１７の周回で１８０°間隔で、互いに対向するように２個の第１凹部１８が形成されている。また、取付け部１４には、放熱板１１をねじ止めするためのねじ孔１９が複数個形成されている。さらに、取付け部１４には、グローブ取付部１６の周壁部に沿う環状の溝２０が形成されている。 
【００２１】
図１において、取付け部１４の図示しないねじ孔１９には、図示しないねじが放熱板１１を介して螺着されている。これにより、取付け部１４に放熱板１１が取り付けられている。ここで、放熱板１１は、貫通孔１７を塞ぐとともに、第１凹部１８に被さる大きさに形成されている。すなわち、取付け部１４には、放熱板１１を介して発光モジュール２の基板７の他方の面７ｂが取り付けられて、発光モジュール２が取り付けられている。
【００２２】
放熱フィン１３は、図２に示すように、装置本体３の周方向に互いに略等間隔で放射状に形成され、放熱フィン１３間に間隙２３が形成されている。間隙２３は、装置本体３の下端側３ｂおよび周囲へ向けて開口され、装置本体３の上端側３ａでは閉塞されている。胴体部１２の上端縁部には、その胴体部１２に連続する環状のグローブ取付部１６が形成されている。 
【００２３】
グローブ取付部１６には、グローブ１５が取り付けられている。グローブ１５は、透光性および光拡散性を有する合成樹脂からなり、図１に示すように、発光モジュール２を覆うように略半球状に形成されている。グローブ１５は、その嵌合部１５ａがグローブ取付部１６に嵌合されるとともに、接着材などで固定されている。 
【００２４】
樹脂ケース４は、装置本体３の貫通孔１７に嵌挿する略円錐台状の有底中空体であり、ポリブチレンテレフタレート（ＰＢＴ）樹脂などの電気絶縁性の合成樹脂により形成されている。そして、外周面４ｃが貫通孔１７の内壁面１７ａに近接するようにかつ貫通孔１７の内壁面１７ａに沿う形状に形成されている。すなわち、外周面４ｃを有する部分が略円錐台状の筒状に形成されている。また、外周面４ｃの上端側４ａの縁部に、外周面４ｃから内方に第２凹部２５が形成されている。この第２凹部２５は、図４に示すように、所定の深さを有する例えば半円筒形に形成され、外周面４ｃの開口縁部の周回で１８０°間隔で、互いに対向するように２個が形成されている。すなわち、第２凹部２５は、装置本体３の第１凹部１８に対応して設けられ、図３に示すように、第１凹部１８と対向している。第１凹部２５および第２凹部１８とで形成される空間に止着手段８を設けることにより、樹脂ケース４は装置本体３に固定され、装置本体３の貫通孔１７の内部において相互の回動が規制される。 
【００２５】
止着手段８は、本発明の実施例では螺子を用いている。この螺子のねじ山の直径は、第１凹部２５による半円筒形状および第２凹部１８による半円筒形状とで形成される略円筒形状の直径よりも若干太く、また、セルフタッピングの螺子であるため螺子を回転させることにより、螺子自身が螺子を切りながら奥へ進んで行き、樹脂ケース４が装置本体３の貫通孔１７の内部において相互の回動が規制された状態で、装置本体３に固定される。なお、止着手段は、螺子に限定されず、楔や接着剤などを用いても良い。
【００２６】
樹脂ケース４は、外周面４ｃの他端側４ｂが装置本体３の他端側３ｂの外面１２ｃから外方に突出しているとともに、他端側４ｂに有底の円筒状の突出部２６が形成されている。突出部２６の外径は、樹脂ケース４の他端側４ｂよりも幾分縮径している。突出部２６には、例えばカシメにより口金６が設けられている。また、突出部２６の底板部２７には、基板固定部２８が形成されており、この基板固定部２８に点灯回路５が支持されている。また、底板部２７には、図３に示すように、点灯回路５および口金６を電気接続する図示しないリード線が挿通される挿通孔２９，２９が設けられている。 
【００２７】
点灯回路５は、樹脂ケース４の内部に収納されており、基板３０およびこの基板３０に実装されたトランスＴ１や電子部品３１などの電気部品を有して形成されている。基板３０は、ガラスエポキシ材などの合成樹脂板やアルミニウム（Ａｌ）などの金属板からなっている。金属板の場合、絶縁層が形成されて、電気部品が実装されている。 
【００２８】
点灯回路５は、口金６および発光モジュール２の基板７にそれぞれ図示しないリード線で接続されている。 
【００２９】
そして、点灯回路５は、交流電圧を整流平滑して、定電流を発光モジュール２に供給するように構成されている。発光モジュール２のＬＥＤ９は、定電流が供給されることにより点灯（発光）し、白色光が放射され、グローブ１５で光拡散されて外部空間に放射される。 
【００３０】
口金６は、例えば、Ｅ１７形やＥ２６形などの一般照明電球用のソケットに接続可能なものである。そして、口金６は、樹脂ケース４の突出部２６に嵌合されてかしめられて固定されるシェル部３３、このシェル部３３の他端側に設けられる絶縁部３４およびこの絶縁部３４の頂部に設けられるアイレット部３５を有して構成されている。シェル部３３およびアイレット部３５には、図示しないリード線が接続されている。このリード線は、突出部２６の底板部２７に設けられた挿通孔２９，２９から樹脂ケース４の内部に導入されて、点灯回路５の基板３０に電気接続されている。 
【００３１】
こうして構成された電球形ランプ１は、照明器具の電球用ソケットに装着して通電すると、点灯回路５が動作し、発光モジュール２の複数個のＬＥＤ９に定電流（電力）が供給され、複数個のＬＥＤ９が点灯（発光）し、放射された白色光がグローブ１５で拡散されてグローブ１５から外部空間に放射される。 
【００３２】
上述したように、樹脂ケース４の第２凹部２５は、装置本体３の第１凹部１８に対抗させて配置することにより、第２凹部２５と第１凹部１８とで形成される空間に止着手段８を設けることで、樹脂ケース４は、装置本体３の貫通孔１７の内部に相互の回動を規制し、装置本体３に固定される。止着手段８を設ける工程は非常に簡便であるため製作コストの低減を図ることができて、電球形ランプ１を安価に形成することができる。 
【００３３】
また、装置本体３の貫通孔１７は、略円錐台状の形状に形成され、樹脂ケース４は、その外周面４ｃが貫通孔１７の内壁面１７ａに沿うようにした略円錐台状の筒状に形成されているので、樹脂ケース４の内部空間が大きくなり、点灯回路５を収納する収納空間が確保される。これにより、樹脂ケース４および装置本体３の胴体部１２のそれぞれの外形を大きくする必要がなく、例えばミニクリプトン電球の大きさに形成することができ、電球形ランプ１の小型化を図ることができる。 
【００３４】
そして、樹脂ケース４の下端側４ｂおよびこの下端側４ｂに設けた突出部２６が装置本体３の下端側３ｂの外面１２ｃから外方に突出していて、当該突出部２６に口金６が設けられているので、口金６の取付けを金属製の装置本体３との間で絶縁材を介さずに容易に行うことができる。したがって、絶縁材のコストが削減され、口金６の取付け時間が削減されるので、電球形ランプ１を安価に形成することができる。  
【００３５】
また、装置本体３の孔は、貫通孔１７に形成したが、当該孔は、凹部であってもよい。この場合であっても、樹脂ケース４の第１凹部２５と装置本体３の第２凹部１８とを対向させ、それによって形成された空間に止着手段８を設けることにより、樹脂ケース４を装置本体３の前記凹部に収納して固定することができる。そして、口金６は、装置本体３の他端側３ｂに絶縁材を介して取り付けられる。 
【産業上の利用可能性】
【００３６】
本発明は、電球用ソケットに装着される電球形ランプおよびこの電球形ランプを使用する天井埋込形、天井直付形および天井吊下げ形などの照明器具に適用することができる。 
【符号の説明】
【００３７】
１…電球形ランプ、 ２…発光モジュール、 ３…装置本体、 ４…樹脂ケース、 ４ｃ…外周面、 ５…点灯回路、 ６…口金、 ７…基板、 ８…止着手段、 ９…ＬＥＤ、 １４…取付け部、 １７…孔としての貫通孔、 １７ａ…孔の内壁面、 １８…第１凹部、 ２５…第２凹部、 ２６…突出部
【図１】
2015207480.tif 000003
【図２】
2015207480.tif 000004
【図３】
2015207480.tif 000005
【図４】
2015207480.tif 000006